(57)【特許請求の範囲】
【請求項１】
干渉緩和装置がホームネットワーク伝送線路で干渉を緩和する方法であって、
固有の周波数を有する信号を通じて複数のドメインマスター（ｄｏｍａｉｎ  ｍａｓｔｅｒｓ）と複数の中継端末とを互いにペアリングする段階、
ペアリングされた複数の前記ドメインマスターと複数の前記中継端末とが連結された複数のチャネルの状態情報を用いて、干渉を起こす複数の前記ドメインマスターをグルーピングする段階、
ペアリングされた複数の前記ドメインマスターと複数の前記中継端末との間の送受信同期を合わせる段階、及び
ペアリングされた複数の前記ドメインマスターと複数の前記中継端末とが前記送受信同期に合わせてデータを送受信するように制御し、同一のグループに含まれている複数の前記ドメインマスターが同時にデータを送受信しないように制御する段階、を含む干渉緩和方法。
【請求項２】
前記ペアリングする段階は、
前記ドメインマスターがポート別に予め割り当てられたペアリングパルス（ｐａｉｒｉｎｇ  ｐｕｌｓｅ）信号を前記中継端末に伝送する段階、及び
前記ドメインマスターが前記中継端末の情報を含む前記ペアリングパルス信号を受信し、前記ドメインマスター別にペアリングする前記中継端末を選択する段階、を含む請求項１に記載の干渉緩和方法。
【請求項３】
前記チャネルの状態情報は、
ペアリングされた前記ドメインマスターと前記中継端末との間に送受信されたテスト信号を比較して推定する情報を含む請求項１に記載の干渉緩和方法。
【請求項４】
前記ペアリングする段階と前記複数の前記ドメインマスターをグルーピングする段階との間には、
ペアリングされた前記ドメインマスターと前記中継端末との間に送受信されたテスト信号を比較して前記チャネルを推定する段階をさらに含み、
前記チャネルを推定する段階は、
チャネル推定のためのプローブフレーム（ＰＲＯＢＥ  ｆｒａｍｅ）を前記テスト信号として送信するように前記ドメインマスターに指示する段階、
前記ドメインマスターとペアリングされた前記中継端末から前記プローブフレームを受信する段階、及び
受信された前記プローブフレームを予め設定されたプローブフレームと比較して前記チャネルを推定する段階、を含む請求項１に記載の干渉緩和方法。
【請求項５】
前記送受信同期を合わせる段階は、
データ量によって下向きリンクと上向きリンクとの比率を可変して前記送受信同期を合わせる段階を含む請求項１に記載の干渉緩和方法。
【請求項６】
前記送受信同期を合わせる段階は、
前記下向きリンクと前記上向きリンクとの帯域幅および比率が異なる場合、キュー（ｑｕｅｕｅ）に積まれたデータ量によって前記下向きリンクと前記上向きリンクとの比率を可変してマックサイクル（ＭＡＣ  ｃｙｃｌｅ）同期信号を提供する段階をさらに含む請求項５に記載の干渉緩和方法。
【請求項７】
固有の周波数を有する信号を送受信して複数のドメインマスター（ｄｏｍａｉｎ  ｍａｓｔｅｒｓ）と複数の中継端末とを互いにペアリングするペアリング部、及び
ペアリングされた複数の前記ドメインマスターと複数の前記中継端末とが連結された複数のチャネルの状態情報を用いて、伝送線路で干渉を起こす複数の前記ドメインマスターをグルーピングし、ペアリングされた複数の前記ドメインマスターと複数の前記中継端末との間の送受信同期を合わせてデータを送受信するように制御する制御部を含み、
前記制御部は、
ペアリングされた複数の前記ドメインマスターと複数の前記中継端末とが前記送受信同期に合わせてデータを送受信するように制御し、同一のグループに含まれている複数の前記ドメインマスターが同時にデータを送受信しないように制御する干渉緩和装置。
【請求項８】
前記チャネルの状態情報は、
ペアリングされた前記ドメインマスターと前記中継端末との間に送受信されたテスト信号を比較して推定する情報を含む請求項７に記載の干渉緩和装置。
【請求項９】
ペアリングされた前記ドメインマスターと前記中継端末との間に送受信されたテスト信号を比較してチャネルを推定するチャネル推定部をさらに含む請求項７に記載の干渉緩和装置。
【請求項１０】
前記チャネル推定部は、
ペアリングされた前記ドメインマスターと前記中継端末との間にプローブフレーム（ＰＲＯＢＥ  ｆｒａｍｅ）を送受信し、前記ドメインマスターに受信された前記プローブフレームを予め設定されたプローブフレームと比較する比較部を含む請求項９に記載の干渉緩和装置。
【請求項１１】
前記制御部は、
ペアリングされた前記ドメインマスターと前記中継端末との間に下向きリンクと上向きリンクとの帯域幅および比率が異なる場合、キュー（ｑｕｅｕｅ）に積まれたデータ量によって前記下向きリンクおよび前記上向きリンクの比率を可変し、マックサイクル（ＭＡＣ  ｃｙｃｌｅ）などの同期信号を提供して前記送受信同期を合わせる請求項８に記載の干渉緩和装置。
【請求項１２】
ペアリングされた複数のドメインマスターと複数の中継端末とを登録し、前記ドメインマスターのそれぞれをペアリングされた前記中継端末と同期化させてデータを送受信するように制御する干渉緩和装置、及び
ポート別チャネル状態に基づいて複数のチャネルの干渉データを計算し、計算された前記干渉データを前記干渉緩和装置に提供するサーバー、を含み、
前記干渉緩和装置は、前記干渉データに基づいて前記ドメインマスターが干渉影響を受けないように前記ドメインマスターをグルーピングし、同一のグループに含まれている複数の前記ドメインマスターが同時にデータを送受信しないように制御する通信システム。
【請求項１３】
前記干渉緩和装置は、
前記ドメインマスターと前記中継端末との間に送受信されたテスト信号を用いてポート別にチャネル状態を推定する請求項１２に記載の通信システム。
【発明の詳細な説明】
【技術分野】
【０００１】
本発明は、ホームネットワーク伝送線路の干渉緩和装置、干渉緩和方法およびこれを用いた通信システムに関するものである。
【背景技術】
【０００２】
従来は超高速デジタル加入者回線（Ｖｅｒｙ  ｈｉｇｈ  ｂｉｔ  ｒａｔｅ  Ｄｉｇｉｔａｌ  Ｓｕｂｓｃｒｉｂｅｒ  Ｌｉｎｅ、ＶＤＳＬ）技術基盤で上下向周波数分割多重（Ｆｒｅｑｕｅｎｃｙ  Ｄｉｖｉｓｉｏｎ  Ｍｕｌｔｉｐｌｅｘｉｎｇ、ＦＤＭ）方式で構内電話線を区分し、最大３０ＭＨｚ周波数帯域を適用して最大１００Ｍｂｐｓまで伝送した。
【０００３】
しかし、従来技術は１００Ｍｂｐｓ以上のギガ級速度提供のためにはボンディング（ｂｏｎｄｉｎｇ）技術を用いて少なくとも２以上のペア（ｐａｉｒ）を要求していて、ペア数を増やさない以上最大２００Ｍｂｐｓを超え難かった。
【０００４】
そして、従来技術によるＶＤＳＬ構築環境にギガインターネットを提供するためには既存のＶＤＳＬシステムを全て新規システムに交替したりＦＴＴＨ（Ｆｉｂｅｒ  ｔｏ  ｔｈｅ  ｈｏｍｅ）で構築しなければならず、これは構築費用が過多にかかる困難がある。
【０００５】
したがって、これより低廉でありながらも１００Ｍｂｐｓ以上の速度を提供するＦＴＴＨ−Ｇ（Ｇ．ｈｎ）でシステム構築が可能であるが、このような場合、加入者集線区間の干渉雑音が存在するバンドル環境で干渉を緩和することができる方法が要求される。
【発明の概要】
【発明が解決しようとする課題】
【０００６】
本発明は、ホームネットワーク伝送線路で干渉を緩和することができるホームネットワーク伝送線路の干渉緩和装置、干渉緩和方法およびこれを用いた通信システムを提案することを目的とする。
【課題を解決するための手段】
【０００７】
本発明の干渉緩和方法は、干渉緩和装置がホームネットワーク伝送線路で干渉を緩和する方法で、固有の周波数を有する信号を通じてドメインマスター（ｄｏｍａｉｎ  ｍａｓｔｅｒ）と中継端末をペアリングする段階、ドメインマスターをグルーピングする段階、前記ドメインマスターと中継端末間の送受信同期を合わせる段階、及び前記ドメインマスターと前記中継端末が前記送受信同期に合わせてデータを送受信するように制御し、同一なグループのドメインマスターが同時にデータを送受信しないように制御する段階を含む。
【０００８】
前記ペアリングする段階は、ドメインマスターがポート別に予め割り当てられたペアリングパルス（ｐａｉｒｉｎｇ  ｐｕｌｓｅ）信号を中継端末に伝送する段階、及び前記ドメインマスターが中継端末の情報を含むペアリングパルス信号を受信し、ドメインマスター別にペアリングする中継端末を選択する段階をさらに含むことができる。
【０００９】
前記ドメインマスターをグルーピングする段階は、チャネルの状態情報を用いて干渉を起こすドメインマスターをグルーピングする段階を含むことができる。
【００１０】
前記チャネルの状態情報は、ペアリングされた前記ドメインマスターと前記中継端末間に送受信されたテスト信号を比較して推定する情報を含むことができる。
【００１１】
前記ペアリングする段階と前記ドメインマスターをグルーピングする段階の間には、ペアリングされた前記ドメインマスターと前記中継端末間に送受信されたテスト信号を比較してチャネルを推定する段階をさらに含み、前記チャネルを推定する段階は、チャネル推定のためのプローブフレーム（ＰＲＯＢＥ  ｆｒａｍｅ）をテスト信号として送信するようにドメインマスターに指示する段階、前記ドメインマスターとペアリングされた中継端末から前記プローブフレームを受信する段階、及び受信された前記プローブフレームを予め設定されたプローブフレームと比較してチャネルを推定する段階を含むことができる。
【００１２】
前記送受信同期を合わせる段階は、データ量によってダウンリンクとアップリンクの比率を可変して前記送受信同期を合わせる段階を含むことができる。
【００１３】
前記送受信同期を合わせる段階は、前記下向きリンクと前記上向きリンクの帯域幅および比率が異なる場合、キュー（ｑｕｅｕｅ）に積まれたデータ量によって下向きリンクと上向きリンクの比率を可変してマックサイクル（ＭＡＣ  ｃｙｃｌｅ）同期信号を提供する段階をさらに含むことができる。
【００１４】
本発明の干渉緩和装置は、固有の周波数を有する信号を送受信してドメインマスター（ｄｏｍａｉｎ  ｍａｓｔｅｒ）と中継端末をペアリングするペアリング部、及びチャネルの状態情報を用いてドメインマスターをグルーピングしてデータを送受信するように制御する制御部を含む。
【００１５】
前記制御部は、伝送線路で干渉を起こすドメインマスターをグルーピングするグルーピング部、及びペアリングされた前記ドメインマスターと前記中継端末間の送受信同期を合わせる同期化部を含み、前記制御部は、ドメインマスターと中継端末が前記送受信同期に合わせてデータを送受信するように制御し、グルーピングされたドメインマスターが同時にデータを送受信しないように制御することができる。
【００１６】
前記グルーピング部は、チャネルの状態情報を用いて干渉を起こすドメインマスターをグルーピングし、前記チャネルの状態情報は、ペアリングされた前記ドメインマスターと前記中継端末間に送受信されたテスト信号を比較して推定する情報を含むことができる。
【００１７】
前記干渉緩和装置は、ペアリングされたドメインマスターと中継端末間に送受信されたテスト信号を比較してチャネルを推定するチャネル推定部をさらに含むことができる。
【００１８】
前記チャネル推定部は、ペアリングされた前記ドメインマスターと前記中継端末間にプローブフレーム（ＰＲＯＢＥ  ｆｒａｍｅ）を送受信し、前記ドメインマスターに受信された前記プローブフレームを予め設定されたプローブフレームと比較する比較部を含むことができる。
【００１９】
前記同期化部は、ペアリングされた前記ドメインマスターと前記中継端末間に下向きリンクと上向きリンクの帯域幅および比率が異なる場合、キュー（ｑｕｅｕｅ）に積まれたデータ量によって前記下向きリンクおよび前記上向きリンクの比率を可変し、マックサイクル（ＭＡＣ  ｃｙｃｌｅ）などの同期信号を提供して送受信同期を合わせることができる。
【００２０】
本発明の通信システムは、ドメインマスターとペアリングされ、ペアリングされたドメインマスターと伝送線路を通じて連結される少なくとも一つ以上の中継端末、ドメインマスターとペアリングされた中継端末を登録し、ドメインマスターを同期化させてデータを送受信するように制御する干渉緩和装置、及びポート別チャネル状態に基づいてチャネルの干渉データを計算し、ドメインマスターを同期化させることができるように計算された前記干渉データを前記干渉緩和装置に提供するサーバーを含む。
【００２１】
前記干渉緩和装置は、前記干渉データに基づいてドメインマスターが干渉影響を受けないようにドメインマスターをグルーピングすることができる。
【００２２】
前記干渉緩和装置は、グルーピングされた前記ドメインマスターの送受信同期を合わせ、グルーピングされた前記ドメインマスターが前記送受信同期によって中継端末とデータを送受信するように制御することができる。前記干渉緩和装置は、チャネルの状態情報を用いて干渉を起こすドメインマスターをグルーピングし、前記チャネルの状態情報は、ペアリングされた前記ドメインマスターと前記中継端末間に送受信されたテスト信号を比較して推定する情報を含むことができる。
【発明の効果】
【００２３】
本発明によれば、ペアリングパルス（ｐａｉｒｉｎｇ  ｐｕｌｓｅ）信号を通じてドメインマスター（ｄｏｍａｉｎ  ｍａｓｔｅｒ）と中継端末をペアリングし、チャネルを推定して干渉が多いドメインマスターをグルーピングしてデータを送受信するように制御することによって、伝送線路での干渉を最少化することができる環境を提供する。
【００２４】
また、本発明によれば、ドメインマスターと中継端末が送受信同期に合わせてデータを送受信し、同一なグループに属するドメインマスターが同時にデータを送受信しないように制御することによって、伝送線路での干渉を最少化することができる環境を提供する。
【図面の簡単な説明】
【００２５】
【図１】本発明の一実施形態によってホームネットワーク信号を中継する通信システムを簡略に示したブロック図である。
【図２】本発明の一実施形態による干渉緩和装置の構成を簡略に示したブロック図である。
【図３】固有の周波数を有するペアリングパルス信号を送受信してペアリングする例を示した図である。
【図４】グルーピングされたドメインマスターが送受信同期によってデータを送受信する例を示した図である。
【図５】本発明の他の実施形態による干渉緩和方法の過程を示したフローチャートである。
【図６】通信システムで干渉を緩和することができるようにチャネルを推定して干渉を緩和する過程を示したフローチャートである。
【発明を実施するための形態】
【００２６】
以下、添付した図面を参照して本発明の実施形態について本発明の属する技術分野における通常の知識を有する者が容易に実施できるように詳しく説明する。しかし、本発明は様々な形態に実現でき、ここで説明する実施形態に限定されない。そして、図面において本発明を明確に説明するために説明上不必要な部分は省略し、明細書全体にわたって類似の部分については類似の図面符号を付けた。
【００２７】
明細書全体で、ある部分がある構成要素を“含む”という時、これは特に反対になる記載がない限り他の構成要素を除くのではなく他の構成要素をさらに含むことができることを意味する。また、明細書に記載された“・・・部”、“・・・機”、“モジュール”などの用語は少なくとも一つの機能や動作を処理する単位を意味し、これはハードウェアやソフトウェアまたはハードウェアおよびソフトウェアの結合で実現できる。
【００２８】
以下、図１乃至図６を参照して本発明の一実施形態によるホームネットワーク伝送線路の干渉緩和装置、干渉緩和方法およびこれを用いた通信システムについて詳細に説明する。
【００２９】
図１は本発明の一実施形態によってホームネットワーク信号を中継する通信システムを簡略に示したブロック図である。この時、通信システムは本発明の実施形態による説明のために必要な概略的構成のみを示すだけであり、このような構成に限定されるものではない。
【００３０】
図１を参照すれば、本発明の一実施形態によってホームネットワーク信号を中継する通信システムは、サーバー１０、ホームネットワーク信号中継装置３０および複数の中継端末４０を含む。
【００３１】
本発明の一実施形態によるホームネットワーク信号を中継する通信システムは、信号を中継するアクセスネットワーク（またはアクセス区間）とホームネットワーク（またはホーム区間）に区分される。ここで、アクセスネットワークはインターネットネットワークの信号を複数のホーム区間に中継する。そして、ホームネットワークはアクセスネットワークの中継信号の伝達を受けてサービス事業者端末および家庭内の使用者の使用者端末（図示せず）に提供する。
【００３２】
この時、サーバー１０からアクセス区間までは光ケーブルで連結することができ、アクセス区間とホーム区間の間にホームネットワーク信号中継装置３０を設置することができる。そして、ホーム区間ではホームネットワーク信号中継装置３０から様々な種類の銅線バンドル（ｂｕｎｄｌｅ）ケーブルを通じてそれぞれの加入者と連結される中継端末４０またはエンドポイント（Ｅｎｄ  Ｐｏｉｎｔ、ＥＰ）に信号が転送されてサービスが行われる。
【００３３】
サーバー１０は、インターネットネットワークまたはＦＴＴＸ（Ｆｉｂｅｒ  ｔｏ  ｔｈｅ  ｘ）２０を経て光ケーブルを通じてホームネットワーク信号中継装置３０と連結される。サーバー１０は、手動型光加入者網またはＬ２、Ｌ３スイッチからなる既存のネットワークと整合するためのインターフェースモジュール（Ｉｎｔｅｒｆａｃｅ  ｍｏｄｕｌｅ）３２を通じてホームネットワーク信号中継装置３０と連結され、サービス政策およびネットワーク管理を行う。
【００３４】
そして、サーバー１０は、本発明の一実施形態によって推定されたチャネル状態を受信し、受信されたチャネル状態に基づいてチャネルの干渉データを計算し、ドメインマスター３４ａ乃至３４ｘを同期化させることができるように計算された干渉データをホームネットワーク信号中継装置３０または干渉緩和装置１００に提供することができる。
【００３５】
そして、ホームネットワーク信号中継装置３０は、本発明の一実施形態によって干渉緩和装置１００を含むことができる。ここで、干渉緩和装置１００は、ドメインマスターとペアリングされた中継端末を登録し、テスト信号を用いてポート別にチャネル状態を推定し、ドメインマスターを同期化させてデータを送受信するように制御する部分を含む。
【００３６】
そして、ドメインマスター３４ａ乃至３４ｘはそれぞれ少なくとも一つ以上の中継端末４０ａ乃至４０ｘとペアリングされる。そして、ドメインマスター３４ａ乃至３４ｘは少なくとも一つ以上の伝送線路Ｓ１、Ｓ２を通じて中継端末４０ａ乃至４０ｘと連結される。
【００３７】
以下、図２を参照して干渉緩和装置１００の構成を詳しく説明する。
図２は、本発明の一実施形態による干渉緩和装置の構成を簡略に示したブロック図である。この時、干渉緩和装置１００は本発明の実施形態による説明のために必要な概略的構成のみを示すだけであり、このような構成に限定されるのではない。
【００３８】
図２を参照すれば、本発明の一実施形態による干渉緩和装置１００は、ペアリング部１１０、チャネル測定部１２０および制御部１３０を含む。
【００３９】
ペアリング部１１０は、固有の周波数を有するペアリングパルス（ｐａｉｒｉｎｇ  ｐｕｌｓｅ）信号を用いてドメインマスター３４ａ乃至３４ｘと中継端末４０ａ乃至４０ｘをペアリングする。ペアリング部１１０は、ドメインマスター３４ａ乃至３４ｘと中継端末４０ａ乃至４０ｘ間にポート別に予め割り当てられたペアリングパルス信号を送受信するように制御してペアリングする。
【００４０】
図３は、固有の周波数を有するペアリングパルス信号を送受信してペアリングする例を示した図である。
【００４１】
図３を参照すれば、ドメインマスター３４ａ乃至３４ｇがポート別に予め割り当てられたペアリングパルス信号を中継端末４０ａ乃至４０ｇに伝送する。この時、ペアリングパルス信号はクロストークｘを通じて隣接チャネルに移ることが可能である。
【００４２】
そして、ドメインマスター３４ｇからペアリングパルス信号を受信した中継端末４０ｆおよび４０ｇは、周波数を把握して該当周波数と同一なペアリングパルス信号をドメインマスター３４ｇに伝達する。この時にも、中継端末４０ｆが伝送したペアリングパルス信号はクロストークｘを通じて隣接チャネルに移ることが可能である。
【００４３】
そして、ドメインマスター３４ｇは、中継端末４０ｆおよび４０ｇからペアリングパルス信号を受信し、信号の強度が強いものを取捨選択することができる。中継端末４０ｆおよび４０ｇから受信されるペアリングパルス信号にはマックアドレス（ＭＡＣ  ａｄｄｒｅｓｓ）などのような中継端末の情報などを含むことができる。
【００４４】
図３では、ドメインマスター３４ｇは中継端末４０ｆに伝送したペアリングパルス信号の周波数が該当ポートに予め割り当てられた周波数ではないのでこれを受信せず、中継端末４０ｇを選択してペアリングするようになる。
【００４５】
チャネル測定部１２０は、ドメインマスターと中継端末間に送受信されるテスト信号を用いて該当チャネルの状態を推定する。この時、チャネル測定部１２０は、図３のようにペアリングされたドメインマスター３４ｇと中継端末４０ｇの間のチャネル状態を推定することができる。
【００４６】
チャネル測定部１２０は、チャネル推定のためのプローブフレーム（ＰＲＯＢＥ  ｆｒａｍｅ）をテスト信号として送受信するようにドメインマスター３４ｇとペアリングされた中継端末４０ｇに指示し、ドメインマスター３４ｇはペアリングされた中継端末４０ｇからプローブフレームを受信する。この時、ドメインマスター３４ｇと中継端末４０ｇはチャネル推定のためのプローブフレームを事前に互いに知っている。
【００４７】
ここで、本発明の一実施形態によるチャネル測定部１２０はペアリングされたドメインマスターと中継端末間にプローブフレーム（ＰＲＯＢＥ  ｆｒａｍｅ）を送受信し、ドメインマスターに受信されたプローブフレームを予め設定されたプローブフレームと比較する比較部１２２を含む。そして、チャネル測定部１２０は比較部１２２を通じてドメインマスターに受信されたプローブフレームを予め設定されたプローブフレームと比較してチャネル状態を推定する。
【００４８】
制御部１３０は、チャネル測定部１２０で推定されたチャネルの状態情報を用いて干渉の多いチャネルのドメインマスターをグルーピングしてデータを送受信するように制御する。
【００４９】
したがって、本発明の一実施形態による干渉緩和装置１００は、チャネル測定部１２０で測定された伝送線路の状態情報を用いて制御部１３０が干渉程度によって干渉の多いドメインマスターを小規模グルーピングしてデータ送受信することができる。
【００５０】
本発明の一実施形態による制御部１３０はグルーピング部１３２および同期化部１３４を含む。
【００５１】
グルーピング部１３２は、データを伝送する時に干渉を起こすドメインマスターをグルーピングする。この時、グルーピング部１３２はドメインマスターがデータ伝送時に干渉影響を最少化することができるように互いに干渉を起こすドメインマスターを把握して小規模グループに分ける。
【００５２】
また、グルーピング部１３２は、チャネルの状態情報を用いて干渉の多いドメインマスターをグルーピングすることができる。ここで、チャネルの状態情報は、ペアリングされたドメインマスターと中継端末間に送受信されたテスト信号を比較して推定する情報を含む。
【００５３】
そして、同期化部１３４は、ペアリングされたドメインマスターと中継端末間にデータ伝送のための送受信同期を合わせるか、グルーピングされたドメインマスターまたはグルーピングされたグループ間の送受信同期を合わせる。
【００５４】
この時、同期化部１３４は、ドメインマスターと中継端末間のデータ量によって下向きリンクと上向きリンクの比率を可変して前記送受信同期を合わせることができる。そして、同期化部１３４は、ペアリングされたドメインマスターと中継端末間に下向きリンクと上向きリンクの帯域幅および比率が異なる場合、キュー（ｑｕｅｕｅ）に積まれたデータ量によって前記下向きリンクおよび前記上向きリンクの比率を可変し、マックサイクル（ＭＡＣ  ｃｙｃｌｅ）などの同期信号を提供して送受信同期を合わせることができる。
【００５５】
図４は、グルーピングされたドメインマスターが送受信同期によってデータを送受信する例を示した図である。この時、以下のフローチャートは図１乃至図２の構成と連係して同一な図面符号を使用して説明する。
【００５６】
図４を参照すれば、ドメインマスター３４ａ、３４ｂ、３４ｃは第１グループＧ１にグルーピングし、ドメインマスター３４ｄ、３４ｅは第２グループＧ２にグルーピングする。ここで、同一のグループのドメインマスターは相互間に干渉が多く発生することが可能である。
【００５７】
第１ドメインマスター３４ａ、第２ドメインマスター３４ｂおよび第３ドメインマスター３４ｃは互いに干渉があり、第４ドメインマスター３４ｄと第５ドメインマスター３４ｅも干渉がある場合である。
【００５８】
そして、第１グループＧ１の第１ドメインマスター３４ａ、第２ドメインマスター３４ｂおよび第３ドメインマスター３４ｃは同一のグループにグルーピングされたので、同一の周期内で同時にデータを送受信することができないが、第２グループＧ２の第４ドメインマスター３４ｄとは同時にデータを送受信することができる。
【００５９】
即ち、第１ドメインマスター３４ａがデータを送受信する時、第２ドメインマスター３４ｂや第３ドメインマスター３４ｃは送受信せず、第４ドメインマスター３４ｄはデータを送受信することができる。
【００６０】
ドメインマスターは干渉を緩和するために干渉緩和装置１００の制御によってマックサイクルを同期化してマックサイクルが始まる時点に同時にデータを送受信する。
【００６１】
この時、同期化部１３４は、ドメインマスターと中継端末間のデータ量や、下向きリンクと上向きリンクの帯域幅または比率によって、下向きリンクおよび上向きリンクの比率を可変し、マックサイクル同期信号を提供して送受信同期を合わせることができる。
【００６２】
即ち、干渉緩和装置１００は、使用者ごとに加入した商品が異なり、送受信するデータ量が異なってＤＬとＵＬの帯域幅および比率が異なる場合、インターフェースモジュール３２のキュー（ｑｕｅｕｅ）に積まれたデータ量によって下向きリンクと上向きリンクの比率を可変し、ドメインマスターに可変された比率とマックサイクル同期信号を提供することができる。
【００６３】
図４は、マックサイクル同期信号が周期がＴである場合、周期Ｔ内でドメインマスターのデータ量によってａ１とｂ１、ａ２とｂ２、ａ３とｂ３などのように下向きリンクおよび上向きリンクの比率を可変してデータを伝送するように制御することを示す。この時、ドメインマスターの内部にはバッファー（ｂｕｆｆｅｒ）を置き、ＴＤＭ方式によるデータ効率を高めることができる。
【００６４】
以下、図５を参照して干渉緩和装置１００がホームネックワーク伝送線路で干渉を緩和する過程を詳しく説明する。
【００６５】
図５は、本発明の他の実施形態による干渉緩和方法の過程を示したフローチャートである。この時、以下のフローチャートは図１乃至図２の構成と連係して同一な図面符号を使用して説明する。
【００６６】
図５を参照すれば、干渉緩和装置１００は、ペアリング部１１０が固有の周波数を有するペアリングパルス（ｐａｉｒｉｎｇ  ｐｕｌｓｅ）信号を通じてドメインマスター（ｄｏｍａｉｎ  ｍａｓｔｅｒ）と中継端末をペアリングする（Ｓ１００）。
【００６７】
そして、干渉緩和装置１００は、ペアリングされたドメインマスターと中継端末間に送受信されたテスト信号を比較してチャネルを推定し、推定されたチャネル情報を用いて、干渉を起こすドメインマスターをグルーピングする（Ｓ１１０、Ｓ１２０）。
【００６８】
そして、干渉緩和装置１００は、ペアリングされたドメインマスターと中継端末間の送受信同期を合わせ、ドメインマスターと中継端末が前記送受信同期に合わせてデータを送受信するように制御する（Ｓ１４０）。この時、干渉緩和装置１００は、グルーピングによって同一のグループのドメインマスターが同時にデータを伝送しないように制御する。
【００６９】
以下、図６を参照してホームネットワーク信号を中継する通信システムが干渉緩和装置１００を用いて干渉を緩和する過程を詳しく説明する。
【００７０】
図６は、通信システムで干渉を緩和することができるようにチャネルを推定して干渉を緩和する過程を示したフローチャートである。この時、以下のフローチャートは図１乃至図２の構成と連係して同一な図面符号を使用して説明する。
【００７１】
図６を参照すれば、ドメインマスター３４と中継端末４０はペアリングし、ペアリングされた装置を登録し、これを干渉緩和装置１００を経てサーバー１０に報告する（Ｓ２００乃至Ｓ２０６）。
【００７２】
そして、サーバー１０がペアリングされたドメインマスターと中継端末の間のチャネル推定を要請すれば、干渉緩和装置１００はペアリングされたドメインマスターと中継端末のチャネル推定結果をサーバー１０に報告する（Ｓ２０８乃至Ｓ２１６）。
【００７３】
また、サーバー１０はチャネル推定結果を用いて干渉データを計算し、計算された干渉データを提供する（Ｓ２１８、Ｓ２２０）。
【００７４】
そして、干渉緩和装置１００はサーバー１０から提供された干渉データを用いてドメインマスターをグルーピングし、サービス政策によってドメインマスターを同期化する（Ｓ２２２乃至Ｓ２２６）。
【００７５】
したがって、ドメインマスターはデータを送受信する時、干渉緩和装置１００による送受信同期に合わせてデータを送受信し、干渉緩和装置１００のグルーピングによってデータを送受信する（Ｓ２２８）。
【００７６】
したがって、ドメインマスターは同期化部１３４で合わせた送受信同期に合わせてデータを送受信し、伝送線路に干渉が多くて同一のグループにグルーピングされたドメインマスターが同時にデータを送受信しないことによって、隣接の装置間にデータ送受信による干渉を最少化することができる。
【００７７】
このように、本発明の一実施形態による干渉緩和装置は、ペアリングパルス信号を通じてドメインマスターと中継端末をペアリングし、チャネルを推定して干渉の多いドメインマスターをグルーピングしてデータを送受信するように制御することによって、伝送線路での干渉を最少化することができる環境を提供する。
【００７８】
また、本発明の一実施形態による干渉緩和装置は、ドメインマスターと中継端末が同期化させた送受信同期に合わせてデータを送受信し、同一のグループに属するドメインマスターが同時にデータを送受信しないように制御することによって、伝送線路での干渉を最少化することができる環境を提供する。
【００７９】
以上で説明した本発明の実施形態は装置および方法を通じてのみ実現されるのではなく、本発明の実施形態の構成に対応する機能を実現するプログラムまたはそのプログラムが記録された記録媒体を通じて実現することもできる。このような記録媒体はサーバーだけでなく使用者端末でも実行することができる。
【００８０】
以上で本発明の実施形態について詳細に説明したが、本発明の権利範囲はこれに限定されるのではなく、次の請求範囲で定義している本発明の基本概念を用いた当業者の様々な変形および改良形態も本発明の権利範囲に属する。
【符号の説明】
【００８１】
１０  サーバー
２０  インターネットネットワークまたはＦＴＴＸ
３０  ホームネットワーク信号中継装置
３２  インターフェースモジュール
３４  ドメインマスター
４０  中継端末
１００  干渉緩和装置
１１０  ペアリング部
１２０  チャネル測定部
１２２  比較部
１３０  制御部
１３２  グルーピング部
１３４  同期化部
【図１】
0006515113.tif 000002
【図２】
0006515113.tif 000003
【図３】
0006515113.tif 000004
【図４】
0006515113.tif 000005
【図５】
0006515113.tif 000006
【図６】
0006515113.tif 000007